(57)【要約】      （修正有）【課題】容空間を狭くしたり重くすることなく、安価で高保温性能に優れた保温バッグを提供する。【解決手段】収内側バック１と、該内側バック１を挿設する外側バッグ２から構成されて、両バッグの間に空気層が形成される二重式の保温バッグであって、上記内側バック１が、相互に略平行に対面する２枚の広幅側部と、これらの広幅側部の両側に隣設して一体的に設けられると共に相互に略平行に対面する２枚の細幅側部から筒状に形成され、底部と折曲げ開口部を有し、上記外側バッグ２が、相互に略平行に対面する２枚の広幅側部と、これらの広幅側部の両側に隣設して一体的に設けられると共に相互に略平行に対面する２枚の細幅側部から筒状に形成され、底部と折曲げ開口端部２ｄを有し、一方の折曲げ開口端部２ｄから蓋部２ｆが舌状に延設されて、上記両バッグの折曲げ開口部を折り曲げた状態で、上記蓋部２ｆにより密封できるように構成する。【選択図】図１
2010274974.tif 000002
【特許請求の範囲】
【請求項１】
内側バックと、該内側バックを挿設する外側バッグから構成されて、両バッグの間に空気層が形成される二重式の保温バッグであって、上記内側バックが、相互に略平行に対面する２枚の広幅側部と、これらの広幅側部の両側に隣設して一体的に設けられると共に相互に略平行に対面する２枚の細幅側部から筒状に形成され、底部と折曲げ開口部を有し、上記外側バッグが、相互に略平行に対面する２枚の広幅側部と、これらの広幅側部の両側に隣設して一体的に設けられると共に相互に略平行に対面する２枚の細幅側部から筒状に形成され、底部と折曲げ開口端部を有し、一方の折曲げ開口端部から蓋部が舌状に延設されて、上記両バッグの折曲げ開口部を折り曲げた状態で、上記蓋部により密封できるように構成したことを特徴とする保温バッグ。
【請求項２】
上記外側バッグの折曲げ開口端部の細幅側部が欠損していることを特徴とする請求項１に記載の保温バッグ。
【請求項３】
上記内側バッグを柔軟性に富んだフレキシブルで圧縮性がある素材により製作したことを特徴とする請求項１または２に記載の保温バッグ。
【請求項４】
相互に略平行に対面する２枚の広幅側部と、これらの広幅側部の両側に隣設して一体的に設けられると共に相互に略平行に対面する２枚の細幅側部から筒状に形成され、底部と折曲げ開口端部を有し、一方の折曲げ開口端部から蓋部が舌状に延設されて、上記折曲げ開口部を折り曲げた状態で、上記蓋部により密封できるように構成したことを特徴とする保温バッグ。
【発明の詳細な説明】
【技術分野】
【０００１】
本発明は、宅配ピザ等の要保温食品を配達するための保温バッグに関する。
【背景技術】
【０００２】
従来、宅配ピザ等の要保温食品を各家庭に配達するための保温バッグとして、扁平形状の被保温物体（食品を入れた段ボール製箱体など）が挿入される収容空間と、この収容空間に被保温物体を出し入れするための差入口、及び差入口を閉鎖しうる閉鎖部材を有するバッグ本体と、このバッグ本体の内面に沿って収容空間を囲むように配置されている潜熱蓄熱材とを備えたものがあった。
【０００３】
しかしながら、上記潜熱蓄熱材を備えた保温バッグは、その分だけ収容空間が狭くなるだけでなく重く、また、コスト高となる等の問題点があった。
一方、このような潜熱蓄熱材を備えない保温バッグでは、保温効果が低く、保温性能に優れた潜熱蓄熱材を備えない保温バッグが要請されていた。
【先行技術文献】
【特許文献】
【０００４】
【特許文献１】特開平１１−１６９３０３号公報
【発明の概要】
【発明が解決しようとする課題】
【０００５】
本発明は、上記従来の潜熱蓄熱材を備えた保温バッグに代えて、収容空間を狭くしたり重くすることなく、安価で高保温性能に優れた保温バッグを提供することを課題とする。
【課題を解決するための手段】
【０００６】
本発明の保温バッグは、内側バックと、該内側バックを挿設する外側バッグから構成されて、両バッグの間に空気層が形成される二重式の保温バッグであって、上記内側バックが、相互に略平行に対面する２枚の広幅側部と、これらの広幅側部の両側に隣設して一体的に設けられると共に相互に略平行に対面する２枚の細幅側部から筒状に形成され、底部と折曲げ開口部を有し、上記外側バッグが、相互に略平行に対面する２枚の広幅側部と、これらの広幅側部の両側に隣設して一体的に設けられると共に相互に略平行に対面する２枚の細幅側部から筒状に形成され、底部と折曲げ開口端部を有し、一方の折曲げ開口端部から蓋部が舌状に延設されて、上記両バッグの折曲げ開口部を折り曲げた状態で、上記蓋部により密封できるように構成したことを特徴とする。また、上記外側バッグの折曲げ開口端部の細幅側部が欠損していることを特徴とする。更に、上記内側バッグを柔軟性に富んだフレキシブルで圧縮性がある素材により製作したことを特徴とする。
また、本発明の保温バッグは、相互に略平行に対面する２枚の広幅側部と、これらの広幅側部の両側に隣設して一体的に設けられると共に相互に略平行に対面する２枚の細幅側部から筒状に形成され、底部と折曲げ開口端部を有し、一方の折曲げ開口端部から蓋部が舌状に延設されて、上記折曲げ開口部を折り曲げた状態で、上記蓋部により密封できるように構成したことを特徴とする。
【発明の効果】
【０００７】
本発明の保温バッグは、収容空間が狭くなったり重くなることがなく、安価で保温性能に優れる。具体的には、二重バッグとしてその間に空気層を形成させることにより、空気の断熱効果による保温性を向上させる。特に内側バッグをフレキシブルで圧縮性のある柔軟性に富んだ素材により構成すると共に外側バッグを面ファスナーにより止めるようにして、収容する食品の箱体の高さ（厚み）に応じて圧縮してバッグ内の空気量を減少させ、その結果、保温性能を向上させることができる。
また、バッグの出入口の密閉性を向上させて保温効果を高めることもできる。この場合には、内側バッグを省略して、一重バッグとしてもよい。
【図面の簡単な説明】
【０００８】
【図１】本発明の二重式保温バッグの一実施例を示す斜視図である。
【図２】図１の内側バッグの一実施例を示す斜視図である。
【図３】図１の外側バッグの一実施例を示す斜視図である。
【図４】図１の二重式保温バッグの蓋部を閉じた状態の斜視図である。
【図５】図４の断面図である。
【図６】保温性能を比較したグラフである。
【図７】内側バッグを省略して、一重バッグとした別の実施例の斜視図である。
【図８】図７の保温バッグの蓋部を閉じた状態の断面図である。
【発明を実施するための形態】
【０００９】
以下、本発明の実施例について、図面を参照しながら説明する。
【００１０】
図１は二重式の保温バッグを示すもので、内側バック１と、該内側バック１を挿設する外側バッグ２から構成されている。
【００１１】
図２は、上記内側バック１を示すもので、相互に略平行に対面する２枚の広幅側部１ａ、１ａと、これらの広幅側部１ａ、１ａの両側に隣設して一体的に設けられると共に相互に略平行に対面する２枚の細幅側部１ｂ、１ｂから筒状に形成され、底部１ｃと折曲げ開口部１ｄを有する。１ｅは折り目である。
【００１２】
図３は、上記外側バッグ２を示すもので、相互に略平行に対面する２枚の広幅側部２ａ、２ａと、これらの広幅側部２ａ、２ａの両側に隣設して一体的に設けられると共に相互に略平行に対面する２枚の細幅側部２ｂ、２ｂから筒状に形成され、底部２ｃと折曲げ開口端部２ｄを有する。２ｅは折り目である。一方の折曲げ開口端部２ｄからは、蓋部２ｆが舌状に延設されている。
【００１３】
上記内側バック１の折曲げ開口端部１ｄの外側には、帯状の面ファスナー１ｆが取り付けられている（図２参照）と共に、上記外側バック２の折曲げ開口端部２ｄの内側にも、帯状の面ファスナー２ｇが取り付けられている（図３参照）ので、上記外側バック２内に上記内側バック１を収納した状態で、上記両面ファスナー１ｆと２ｇを相互に圧着すると、上記折曲げ開口端部１ｄと２ｄが一体化されるので、二重式の保温バッグであっても、上記保温箱の出し入れ作業を容易に行うことができる。
【００１４】
図１に示すように、上記内側バック１を上記外側バッグ２内に収納した状態で、内側バック１内に、要保温食品を暖めた状態で収容したダンボール箱体（図示せず）を入れた後、外側バッグ２の広幅側部２ａを上から押さえ付けて二重式保温バッグの厚みを圧縮した状態で、細幅側部２ｂに取り付けた面ファスナー２ｋを広幅側部２ａの面ファスナー２ｍに押さえ付けて固定し、続いて、図５に示すように、上記折曲げ開口端部１ｄと２ｄの広幅側部１ａおよび２ａを重ねるように閉じて、上記折り目１ｃおよび２ｃから上記折曲げ開口端部１ｄ、２ｄを筒状に折り曲げ、その後、上記蓋部２ｆの面ファスナー２ｊを広幅側部２ａの面ファスナー２ｈに圧着して、図４に示すように、閉じる。
【００１５】
なお、図３から明らかなように、上記外側バッグ２の折曲げ開口端部２ｄの細幅側部２ｂが欠損しているので、上記折曲げ開口端部１ｄ、２ｄを筒状に折り曲げても、折り曲げ抵抗が少なくなって、折り曲げ易い。
【００１６】
また、図５から明らかなように、上記外側バッグ２と内側バック１の間に空気層３が形成されるので、断熱効果が向上する。
【００１７】
上記内側バッグ１および外側バッグ２は、例えば、エステル綿をナイロン生地で挟んだ材料から製作され、特に、内側バッグ１は柔軟性に富んだフレキシブルで圧縮性がある。
【００１８】
図６は、本発明品と従来品の保温効果を示すグラフであって、１７℃の室温において、本発明品１では、３０分経過しても当初の７６．７℃から６９．１℃にしか低下しないのに対して、従来品では、当初７６．６℃であったものが６２．５℃にまで低下し、本発明品１の保温効果が優れていることが明らかとなった。
【００１９】
上記実施例では、保温バッグを二重式に構成したが、図７に示すように、内側バッグ１を省略すると共に、外側バッグ２の折曲げ開口端部２ｄの細幅側部も欠損することなく設けて、該折曲げ開口端部２ｄを含めて全体的に筒状に形成する。そして、図８に示すように、上記筒状の折曲げ開口端部２ｄを折り曲げた状態で閉じる。このように内側バッグ１を省略しても、外側バッグ２の折曲げ開口端部２ｄを折り曲げることにより、図６に本発明品２として示すように、従来品に比べて保温効果が高い。
【符号の説明】
【００２０】
１    内側バック
１ａ  広幅側部
１ｂ  細幅側部
１ｃ  底部
１ｄ  折曲げ開口端部
１ｅ  折り目
１ｆ  面ファスナー
２    外側バック
２ａ  広幅側部
２ｂ  細幅側部
２ｃ  底部
２ｄ  折曲げ開口端部
２ｅ  折り目
２ｆ  蓋部
２ｇ  面ファスナー
３    空気層
【図１】
2010274974.tif 000003
【図２】
2010274974.tif 000004
【図３】
2010274974.tif 000005
【図４】
2010274974.tif 000006
【図５】
2010274974.tif 000007
【図６】
2010274974.tif 000008
【図７】
2010274974.tif 000009
【図８】
2010274974.tif 000010